(57)【要約】  キャップ（６０２）は、キャップ（６０２）が取り外される時にボトルから逃げるガスを利用することにより、音響を生成する。音響チャンバ（６０１）は、この音響チャンバを小型化するために、コイル形状又は螺旋形状へと、巻回してもよく、あるいは捩ってもよい。コイル形状又は螺旋形状は、当初にモデル化された音響チャンバの元々の音質を回復させることを可能とし、これにより、ボトルキャップ（６０２）に対してあるいはボトル（５２０）に対して取り外し可能に又は恒久的に結合された「音響放出型キャップチャンバ」が得られる。
2020529372.tif 000002
【特許請求の範囲】
【請求項１】
実質的に巻回された形状を有する音響チャンバであって、
前記音響チャンバの底端における第１穴と、
前記音響チャンバの上端における第２穴と、
前記第１穴に位置し、かつ前記第１穴に進入する加圧ガスから１つ又は複数の音響波を生成するように構成される、振動機構と、を備える音響チャンバと、
前記音響チャンバを覆うように構成され、かつポート穴を備える、ボトルのキャップと、を備える、音響放出型キャップチャンバシステム。
【請求項２】
前記音響チャンバが、前記音響チャンバの内部である空洞空間を規定し、かつ前記音響チャンバの前記空洞空間の中へと突出する１つ又は複数の突起をさらに含み、
前記音響チャンバの各突起が、前記第１穴及び前記第２穴のうちの少なくとも一つの直径とは異なる直径によって規定され、これにより、前記加圧ガスからの前記１つ又は複数の音響波を妨害して、前記１つ又は複数の突起により規定される可聴特性を有する一連の音響を生成する、請求項１に記載の音響放出型ボトルキャップシステム。
【請求項３】
前記キャップが、キャッチをさらに備え、かつ
前記音響チャンバが、前記キャップの前記キャッチを収容するように構成されるトラックをさらに備える、請求項１に記載の音響放出型ボトルキャップシステム。
【請求項４】
前記キャップが、前記キャップの下面上に回転ピンをさらに備え、かつ
前記音響チャンバが、前記キャップの前記回転ピンを収容するように構成される回転穴をさらに備える、請求項３に記載の音響放出型ボトルキャップシステム。
【請求項５】
前記回転穴が、前記キャップの回転移動を容易にするように構成され、かつ
前記トラックが、前記トラックの長さの前記キャッチの進行を容易にするようにさらに構成される、請求項４に記載の音響放出型ボトルキャップシステム。
【請求項６】
前記第１穴が、前記キャップの前記回転移動の第１進行距離のところにおいて、前記キャップの前記ポート穴と位置合わせするように構成され、
前記加圧ガスが、前記第１穴と前記ポート穴との位置合わせの際に、前記音響チャンバを経由して、前記ポート穴及び前記第１穴を通って逃げる、請求項５に記載の音響放出型ボトルキャップシステム。
【請求項７】
前記音響チャンバの上面と前記キャップの下面との間に位置し、前記第１シールは、前記音響チャンバの前記上面を取り囲み、かつ前記音響チャンバの前記上面と前記キャップとの間の空間を経由して前記加圧ガスが逃げることを防止するように構成される第１シールをさらに備える、請求項１に記載の音響放出型ボトルキャップシステム。
【請求項８】
前記音響チャンバの上面と前記キャップの下面との間に位置し、前記第２穴を取り囲み、かつ前記第２穴において、前記音響チャンバの前記上面と前記キャップの前記下面との間の空間を経由して前記加圧ガスが逃げることを防止するように構成される、第２シールをさらに備える、請求項１に記載の音響放出型ボトルキャップシステム。
【請求項９】
前記振動機構が、前記第１穴を介して前記音響チャンバへと進入する加圧ガスに応答して振動するように構成される、請求項１に記載の音響放出型ボトルキャップシステム。
【請求項１０】
前記第１穴に対して取り付けられたガス吸入口をさらに含み、前記第１穴が、前記振動機構を備える、請求項１に記載の音響放出型ボトルキャップシステム。
【請求項１１】
前記キャップが、前記ボトルの１つ又は複数の対応するネジ山を介して前記ボトルに対して前記キャップを固定するように構成される１つ又は複数のネジ山をさらに含む、請求項１に記載の音響放出型ボトルキャップシステム。
【請求項１２】
音響放出型キャップチャンバ装置であって、
その内部に空洞空間を規定し、前記空洞空間が、実質的に巻回された形状を有し、かつその内部に１つ又は複数の突起を備える、導管と、
前記導管の底端に位置する第１穴と、
前記装置の上面で、かつ前記導管の上端に位置する第２穴と、
前記第１穴に位置し、かつ前記第１穴に進入する加圧ガスから１つ又は複数の音響波を生成するように構成される、振動機構と、を備える、音響放出型キャップチャンバ装置。
【請求項１３】
各突起が、前記第１穴及び前記第２穴のうちの少なくとも一つの直径とは異なる直径によって規定され、これにより前記加圧ガスからの前記１つ又は複数の音響波を妨害して、前記１つ又は複数の突起により規定される可聴特性を有する一連の音響を生成する、請求項１２に記載の音響放出型キャップチャンバ装置。
【請求項１４】
前記装置の前記上面内の凹所によって規定されるトラックをさらに備え、かつ前記キャップのキャッチを収容する、請求項１２に記載の音響放出型キャップチャンバ装置。
【請求項１５】
前記キャップの回転ピンを収容するように構成される回転穴をさらに含む、請求項１４に記載の音響放出型キャップチャンバ装置。
【請求項１６】
前記回転穴が、前記キャップに対する回転移動を容易にするように構成され、かつ前記トラックが、前記トラックの長さの前記キャッチの進行を容易にするようにさらに構成される、請求項１５に記載の音響放出型キャップチャンバ装置。
【請求項１７】
前記第１穴が、前記キャップの前記回転移動の第１進行距離のところにおいて前記キャップのポートと位置合わせするように構成され、かつ前記加圧ガスが、前記第１穴と前記ポートとの位置合わせの際に、前記導管を経由して、前記ポート及び前記第１穴を通って逃げる、請求項１６に記載の音響放出型キャップチャンバ装置。
【請求項１８】
前記装置の前記上面を取り囲む第１凹所をさらに含み、かつ前記第１凹所は、第１シールを収容するように構成される、請求項１２に記載の音響放出型キャップチャンバ装置。
【請求項１９】
第２凹所が、前記装置の前記上面に位置する前記第２穴を取り囲み、かつ第２シールを収容するように構成される、請求項１８に記載の音響放出型キャップチャンバ装置。
【請求項２０】
前記振動機構が、前記第１穴を経由して前記導管に進入する加圧ガスに応答して振動するように構成される、請求項１２に記載の音響放出型キャップチャンバ装置。
【発明の詳細な説明】
【技術分野】
【０００１】
関連出願の相互参照
この出願は、２０１７年８月４日付けで提出された米国仮特許出願第６２／５４１，５０１号の優先権を主張するものであり、該仮特許出願は、その全体が参照により本明細書に援用される。
【０００２】
本明細書において考察される主題は、一般に、ボトルキャップ及びボトル、ならびにボトルキャップアセンブリを設計及び製造するためのシステム及び方法に関する。具体的には、本開示は、音声又は音響を模倣するボトルキャップ装置、ならびにその製造のためのシステム及び方法を説明する。
【背景技術】
【０００３】
ボトルキャップは、一般に、ボトルの内容物を保護し、かつ封入するために、程度の差はあるが不浸透性のシールを形成するために使用されるものであって、これは新鮮さを維持するために、又は炭酸飲料のように内容物を加圧状態に保持するために特に有効である。ボトルキャップを、加圧状態のボトルの上部から取り外す時に、キャップとボトルとの間の密封が破れて、ガス（典型的には、ＣＯ２）が放出される。ガスが逃げる音は、比較的認識可能な自然な音ではあるが、逃げるガスには、認識可能な意味、認識可能なメッセージ、あるいは識別可能な音は、存在しない（ガスが、単に加圧容器から逃げること以外には）。
【発明の概要】
【０００４】
本開示は、音声又は音響を模倣するボトルキャップ装置、ならびにその製造のためのシステム及び方法を説明する。ボトルキャップが、加圧ボトルからガスが逃げることを防止することは理解されよう。通常、キャップがボトルから取り外される時には、逃げるガスが音を発することとなるが、その音には認識可能な意味とか、認識可能なメッセージとか、あるいは識別可能な音とかは存在しない（ガスが、単に加圧容器から逃げること以外には）。本明細書において説明する実施形態は、（キャップが取り外される時に）ボトルから逃げるガスを利用して、認識可能な意味、認識可能なメッセージ、あるいは、別の方法で識別可能な音を生成することができる。音響チャンバは、（音響チャンバを小型化することに加えて、あるいは、音響チャンバを小型化することに代えて）巻回された形状、コイル形状、螺旋形状、又はこれに類するものへと、巻回されてもよく、あるいは捩られてもよい。コイル形状又は螺旋形状は、当初にモデル化された音響チャンバの元々の音質を回復させることを可能とし、これにより、本明細書において説明するようにボトルキャップに対してあるいはボトルに対して取り外し可能に又は恒久的に結合された「音響放出型キャップチャンバ」が得られる。
【０００５】
いくつかの実施形態においては、音響放出型キャップチャンバシステムは、実質的に巻回された形状を有する音響チャンバであり、かつ音響チャンバの底端における第１穴と、音響チャンバの上端における第２穴と、第１穴のところに位置するとともに、第１穴から進入する加圧ガスから１つ又は複数の音響波を生成するように構成された、振動機構と、を備える音響チャンバと、音響チャンバを覆い、かつポート穴を備えるように構成された、ボトルのキャップと、を備える。
【０００６】
そのような実施形態のいくつかの態様においては、音響チャンバは、音響チャンバの内部をなす空洞空間を規定するとともに、音響チャンバの空洞空間内へと突出する１つ又は複数の突起をさらに備え、音響チャンバの１つ又は複数の突起の各々は、第１穴及び第２穴のうちの少なくとも一方がなす直径とは異なるものとし得る直径によって規定され、これにより、加圧ガスからの１つ又は複数の音響波を妨害することによって、１つ又は複数の突起により規定される可聴特性を有した一連の音響を生成する。
【０００７】
そのような実施形態のいくつかの態様においては、キャップは、キャッチをさらに備え、音響チャンバは、キャップのキャッチを収容するように構成されたトラックをさらに備える。
【０００８】
そのような実施形態のいくつかの態様においては、キャップは、キャップの下面上に回転ピンをさらに備え、音響チャンバは、キャップの回転ピンを収容するように構成された回転穴をさらに備える。
【０００９】
そのような実施形態のいくつかの態様においては、回転穴は、キャップの回転移動を容易にするように構成され、トラックは、トラックの長さのキャッチの進行を容易にするようにさらに構成される。
【００１０】
そのような実施形態のいくつかの態様においては、第１穴は、キャップの回転移動の第１移動距離のところにおいて、キャップのポート穴と位置合わせされるように構成され、加圧ガスは、第１穴とポート穴との位置合わせの際に、音響チャンバを経由し、かつポート穴及び第１穴を通して逃げる。
【００１１】
そのような実施形態のいくつかの態様においては、音響放出型キャップチャンバシステムは、音響チャンバの上面とキャップの下面との間に位置した第１シールをさらに備え、第１シールは、音響チャンバの上面を取り囲み、かつ音響チャンバの上面とキャップとの間の空間を経由して加圧ガスが逃げることを防止するように構成される。
【００１２】
そのような実施形態のいくつかの態様においては、音響放出型キャップチャンバシステムは、音響チャンバの上面とキャップの下面との間に位置した第２シールをさらに備え、第２シールは、第２穴を取り囲み、かつ第２穴において、音響チャンバの上面とキャップの下面との間の空間を経由して加圧ガスが逃げることを防止するように構成される。
【００１３】
そのような実施形態のいくつかの態様においては、振動機構は、第１穴を介して音響チャンバへと進入する加圧ガスに応答して振動するように構成される。
【００１４】
そのような実施形態のいくつかの態様においては、音響放出型キャップチャンバシステムは、第１穴に対して取り付けられたガス吸入口をさらに備え、第１穴は、振動機構を備える。
【００１５】
そのような実施形態のいくつかの態様においては、キャップは、ボトルの１つ又は複数の対応するネジ山を介してボトルに対してキャップを固定するように構成された１つ又は複数のネジ山をさらに備える。
【００１６】
いくつかの実施形態においては、音響放出型キャップチャンバ装置は、その内部に空洞空間を規定する導管であって、空洞空間が実質的に巻回された形状を有し、かつその中に１つ又は複数の突起を備える導管と、導管の底端に位置した第１穴と、装置の上面で、かつ導管の上端に位置した第２穴と、第１穴に位置し、かつ第１穴に進入する加圧ガスから１つ又は複数の音響波を生成するように構成された、振動機構と、を備える。
【００１７】
そのような実施形態のいくつかの態様においては、空洞空間の１つ又は複数の突起の各々は、第１穴及び第２穴のうちの少なくとも一方の直径とは異なり得る直径によって規定され、これにより、加圧ガスからの１つ又は複数の音響波を妨害して、１つ又は複数の突起により規定される可聴特性を有した一連の音響を生成する。
【００１８】
そのような実施形態のいくつかの態様においては、音響放出型キャップチャンバ装置は、装置の上面内の凹所によって規定されたトラックをさらに含み、かつトラックは、キャップのキャッチを収容する。
【００１９】
そのような実施形態のいくつかの態様においては、音響放出型キャップチャンバ装置は、キャップの回転ピンを収容するように構成された回転穴をさらに含む。
【００２０】
そのような実施形態のいくつかの態様においては、回転穴は、キャップの回転移動を容易にするように構成され、またトラックは、トラックの長さのキャッチの進行を容易にするようにさらに構成される。
【００２１】
そのような実施形態のいくつかの態様においては、第１穴は、キャップの回転移動の第１進行距離のところにおいて、キャップのポートに対して位置合わせされるように構成され、加圧ガスは、第１穴とポートとの位置合わせの際に、導管を経由して、ポート及び第１穴を通して逃げる。
【００２２】
そのような実施形態のいくつかの態様においては、音響放出型キャップチャンバ装置は、装置の上面を取り囲む第１凹所をさらに備え、かつ第１凹所は、第１シールを収容するように構成される。
【００２３】
そのような実施形態のいくつかの態様においては、第２凹所は、装置の上面に位置した第２穴を取り囲み、かつ第２凹所は、第２シールを収容するように構成される。
【００２４】
そのような実施形態のいくつかの態様においては、振動機構は、第１穴を介して導管へと進入する加圧ガスに応答して振動するように構成される。
【図面の簡単な説明】
【００２５】
【図１】図１は、導入されたガスが音響チャンバを通して移動する時に人間由来の音響を模倣する音響チャンバのためのモールドを示す。
【図２】図２は、例示的な実施形態による、モデル化時に音響チャンバのためのモールドを巻回することに関する概念的な例を示す。
【図３】図３は、音響放出型キャップチャンバ装置の例示的なモールドを示す。
【図４】図４は、例示的な実施形態による、音響放出型キャップチャンバ装置を示す。
【図５】図５は、例示的な実施形態による、ボトルの口内に挿入された、音響放出型キャップチャンバ装置の分解された構成要素を示す。
【図５Ａ】図５Ａは、例示的な実施形態の第１部分又は第２部分の拡大図を示す。
【図５Ｂ】図５Ｂは、例示的な実施形態の中央部分の拡大図を示す。
【図５Ｃ】図５Ｃは、例示的な実施形態の第１部分、第２部分、及び中央部分の、上方視点における拡大図を示す。
【図６】図６は、消費者によってボトルが開けられる際の、例示的な実施形態による音響放出型キャップチャンバ装置の構成要素を示す。
【図７】図７は、例示的な実施形態による、振動機構を有するガス吸入口を示す。
【図８】図８は、別の例示的な実施形態による、振動機構を有するガス吸入口を示す。
【図９】図９は、図７に示すガス吸入部材と類似したリード部材を備える例示的な音響放出型キャップチャンバを示す。
【図１０】図１０は、ボトル及びボトルキャップを設計及び製造するための例示的なコンピューティングシステムを示す。
【図１１】図１１は、設計ソフトウェアを使用して生成された音響チャンバの仮想モデルの、例示的なＧＵＩレンダリング表示を示す。
【図１２】図１２は、設計ソフトウェアを使用して生成された音響チャンバによって作り出されることとなる波形を表示する例示的なＧＵＩを示す。
【発明を実施するための形態】
【００２６】
本開示によるシステム、装置、及び方法のある特定の例示的な態様が、以下の説明及び添付図面に関連して、本明細書において説明される。しかしながら、これらの態様は、本開示によるシステム、装置、及び方法の原理を採用し得る様々な手法のごく一部を示すものであって、本開示は、すべてのそのような態様及びそれらの均等物を含むことを意図する。本開示の他の利点及び新規な特徴は、図面と併せて考慮した際に、以下の詳細な説明から明らかとなり得る。
【００２７】
以下の詳細な説明においては、本開示の完全な理解を提供するために、多くの具体的な詳細が記載される。他の例においては、本開示によるシステム、装置、及び方法を不必要に不明瞭なものとしないよう、周知の構造、周知のインターフェース、及び周知のプロセスは、詳細に示されていない。しかしながら、本明細書において開示されるそれらの具体的な詳細が、本開示によるシステム、装置、及び方法を実施するために必ずしも使用されるものではないこと、また、特許請求の範囲に記載されることを除いては、その範囲に関する制限を意味しないことは、当業者には明らかであろう。本明細書のいかなる部分も、本開示の全範囲の任意の部分の否認に影響を与えないと解釈されることが、意図される。本開示のある特定の実施形態が説明されるが、これらの実施形態は、同様に、本開示によるシステム、装置、及び方法の全範囲を限定することを意図したものではない。
【００２８】
本開示は、音声又は音響を模倣するボトルキャップ装置、ならびにその製造のためのシステム及び方法を説明する。ボトルキャップが、加圧ボトルからガスが逃げることを防止することは、理解されよう。通常、キャップがボトルから取り外される時には、逃げるガスが、音を発することとなるが、その音には、認識可能な意味、認識可能なメッセージ、又は識別可能な音は、存在しない（ガスが、単に加圧容器から逃げること以外には）。
【００２９】
本開示は、（キャップが取り外される時に）加圧ボトルから逃げるガスを利用することにより、認識可能な意味、認識可能なメッセージ、又は別の方法で識別可能な音、を生成するための、装置、方法、及びシステムについて説明する。
【００３０】
本開示の一つの例示的な実施形態によれば、音響放出型キャップチャンバは、ボトルキャップに結合してもよい。この実施形態によれば、音響放出型キャップチャンバは、音響チャンバと、振動機構と、を備えてもよく、これにより、加圧ガスが音響チャンバの一端に対して適用された時には（「導入ガス」）、ガスは、音響チャンバを通して及び振動機構を横切って、流れることとなる。これにより、ノイズの放出（「出力音響」）がもたらされる。一実施形態においては、図５に示すように、キャップがボトルに取り付けられた時、音響放出キャップチャンバは音響放出キャップチャンバがボトルの口内へと挿入されるように、ボトルキャップの下面に取り付けられてもよい。
【００３１】
当然のことながら、例えば加圧ガスなどの導入ガスが音響チャンバを通して押し込まれる時、音響チャンバの特性（例えば、サイズ、形状、材質）が、音響チャンバを通過するガスからの音響波を妨害し、かつ変更することにより、出力される可聴音響に影響を及ぼす。いくつかの場合においては、音響チャンバのレンダリングを生成し得るよう、コンピュータ支援設計（ＣＡＤ）ソフトウェアなどのソフトウェアを使用して、音響チャンバを、モデル化しうる、あるいは、「描画」しうる。導入ガスが音響チャンバを通して押し込まれた場合に音響チャンバが作り出すこととなる出力音響の波形モデルを生成するために同じソフトウェア又は異なるソフトウェアを使用してもよい。例えば、図１及び図１１に示すように、音響チャンバは、典型的には、通路の長さにわたって一定の直径あるいは変化する直径を有した長い通路（時として、「音響チャンバ」、「空洞空間」、あるいは「導管」と称される）として、構成される。出力音響は、通路の長さ、通路の直径、及び通路の直径の増分変化（変化がある場合）、などの、音響チャンバの特性の関数である。その場合、直径のそのような変化を、音響チャンバの内部の凹状空間内への突起からもたらすことができる。減圧されたボトルからガスが逃げる時、ガスは、逃げるガスの自然で均一な流れを妨害して物理的な圧力波を生成する振動機構に影響を与える。ガスが音響チャンバを通して進むにつれて、突起は、逃げるガスが周囲空間に放出する可聴出力音響の特性を変更し、これにより、人間の鼓膜によって検出される際の、空気の圧力（及び、可聴出力音響）を変更する。
【００３２】
上述したように、音声チャンバ（時に、「母音」チャンバと称される）は、その構造が人間の声帯の構造を模倣するようにモデル化され得る、あるいは別の方法で音響放出型キャップチャンバのための望ましい可聴出力を生成し得る構造を有するようにモデル化され得る。音響放出型キャップチャンバがボトルキャップの下方においてボトルの口内に挿入される実施形態においては、音響放出型キャップチャンバは、ボトルの口の寸法内に収まり得る適切なサイズでなければならないことは、理解されよう。このため、所望の音響効果に依存して、音声チャンバの当初にモデル化された寸法を小型化する結果として、音響放出型キャップチャンバの音響チャンバが必要となることがあり得る。音響チャンバの寸法が縮小される際には、反復設計プロセスで音響チャンバに対する予測された出力音響を確認するために、波形モデリングソフトウェアが使用されてもよい。
【００３３】
しかしながら、音響チャンバの寸法が小型化される際には、サイズ変更された音響チャンバによって生成される音程及び／又は全体的な音質が上昇する場合がある、及び／又は、全体的な音質が悪影響を受ける場合がある。生産研究は、音響チャンバ及び所望の波形のモデル化のために使用される大部分の任意の実施形態において、従来の直線形状の音響チャンバの長さ寸法が約１２２ｍｍ（所望音響の複雑さに応じて、ほぼ１２ｍｍといういくらかの偏差を有する）を下回った場合には、最終的に所望の音質が失われるであろうことを示す。
【００３４】
したがって、ある特定の実施形態においては、図２に示すように、音響チャンバを、螺旋形状へと、（音響チャンバを、小型化することに加えてあるいは小型化することに代えて）巻回することあるいは捩ることが望ましい場合があり得る。この螺旋形状の使用により、当初にモデル化された音響チャンバの元々の音質の一部又は全部を回復することができ、これにより、本明細書において説明されるようにボトルキャップ又はボトルに対して取り外し可能にあるいは恒久的に結合するように構成された「音響放出型キャップチャンバ」のモデルをもたらすことができる。波形モデリングソフトウェアを使用することにより、結果的に得られる波形が所望の出力音響をモデル化するまで、必要に応じて、音響放出型キャップチャンバのモデルに対する波形を、生成及び再生成することができる。本明細書において説明する実施形態は、螺旋形状、コイル形状（例えば、スパイラル）、又は別の方法で巻回された形状について述べるが、当業者であれば、繰り返しの畳み込みを有した音響チャンバの他の幾何形状を使用し得ることは、理解されよう。小型化の後に音質を回復するために音響チャンバを巻回することあるいは捩ることに加えて、構造及び幾何形状の他の態様を変更してもよい。例えば、モデル化された音声チャンバは、８インチ（２０３．２ｍｍ）としてもよく、１２２ｍｍにまで小型化してもよい。所望の可聴出力を回復するために、内部構造（例えば、音響チャンバの凹状空間内への突起）は、比例的に小型化する場合がある。あるいは、そのような内部構造は、例えば、１２２ｍｍ以内の音響チャンバ内の特定の突起が、８インチ（２０３．２ｍｍ）においてモデル化された音声チャンバ内の特定の突起の構造に対して構造的に正確に比例しない場合があるように、構造を変更する場合がある。これに加えてあるいはこれに代えて、幾何形状の変更は、例えば、そうでなければ小型化によって失われることとなる所望の可聴出力を回復するために、音響チャンバの凹状空間内への突起の規模及び／又は頻度を変更することを含み得る。
【００３５】
音響チャンバのサイズ及び形状が満足のいくように決定されると、音響チャンバが製造され得る。したがって、音響チャンバを製造するための例示的なプロセス及び適切な材料について、以下において、より詳細に説明する。後述するように、ある特定の実施形態においては、音響放出型キャップチャンバのモデルに基づいて、音響放出型キャップチャンバのために、射出成形モールドなどの生産モールドを作製することが望ましい場合がある。
【００３６】
本開示によれば、構成された音響チャンバと共に所望の出力音響を生成する空気圧変化を引き起こすために、振動機構を音響チャンバに対して結合してもよい。図７は、例示的な実施形態による、音響チャンバの遠位端において、ガス吸入口のところに又はガス吸入口の内部に取り付けられる振動機構（例えば、リード構成要素）を示す。導入ガスが音響チャンバを通して流れるように音響チャンバと振動機構とが位置合わせされた時、ガスは、振動機構に出力音響を生成させる。当業者であれば、振動機構が、逃げるガスの結果として音響放出型キャップチャンバを通して所望の音が作り出すために振動する能力を有する任意の材料から形成され得ることが理解されよう。非限定的な例としては、プラスチック（例えば、高密度ポリエチレン、低密度ポリエチレン、ポリプロピレン）、金属（例えば、アルミニウム、鋼）、及び、木材（例えば、葦、バルサ）、が挙げられ得る。図９は、図７に示す構成要素と同様の振動機構を含む例示的な音響放出型キャップチャンバを示す。
【００３７】
音響放出型キャップチャンバの設計、製造、及び動作をより完全に説明するために、例示的な実施形態を以下に説明する。本明細書における例においては、音響チャンバは、導入ガスが音響チャンバに対して適用された時に、人間由来の「オー（oh）」という出力音響を再現するように構成される。加えて、この例においては、音響チャンバは、プラスチック（例えば、高密度ポリエチレン、低密度ポリエチレン、ポリプロピレン）又は金属（例えば、アルミニウム、鋼）などの射出成形による構成に適した材料から形成される。音響チャンバは、例えば、音響チャンバの構造的特徴を導入する射出成形プロセスを使用して、生成されてもよい。そのような構造的特徴は、例えば、音響チャンバの内部において様々な直径の１つ又は複数の突起を、規定しうる。
【００３８】
音響放出型キャップチャンバ
図１は、モールド１００から形成された音響チャンバ１０１を通して導入ガスが移動した時に人間由来の「オー」という出力音響を再現するように構成された、したがって模倣するように構成された音響チャンバ１０１のための、モールド１００を示す。人間由来の音声を再現するために、モールド１００によって成形された結果的な音響チャンバ１０１の長さは、大まかには、人間の声道の長さ（例えば、８インチ（２０３．２ｍｍ））という長さとすることができる。しかしながら、上述したように、音響チャンバ１０１の寸法が、ボトルの口に収まり得るように単に比例的に縮小されただけの場合には（例えば、８インチ（２０３．２ｍｍ）から、２５〜３０ｍｍへと）、音響チャンバ１０１の得られた小型化は、同じ音質を必ずしも維持するとは限らない。多くの場合、音響チャンバ１０１を単に縮小しただけであると、出力音響の音程が変化し、かつ／又は音響チャンバ１０１内の突起１０５が変更される可能性があり、結果として音響チャンバ１０１からの望ましくない出力がもたらされる。したがって、音響チャンバ１０１を縮小し、かつ音質を維持する手法は、音響チャンバ１０１を、例えば螺旋形状へと、捩ることあるいは巻回することによるものである。
【００３９】
当業者であれば、音響チャンバ１０１の凹状の空洞空間１０３内への突起１０５が、ガスからの音響波が音響チャンバ１０１を通して移動する時に音響チャンバ１０１によって生成される音を、部分的に規定し得ることは、理解されよう。突起１０５に対する変化は、音響チャンバ１０１を通して移動するガスからもたらされる音響波の特性を妨害し、かつ変更することによって、音響チャンバ１０１により作り出される音響の規定及び特性を変化させることができる。音響チャンバ１０１が縮小された時、音響チャンバ１０１によって作り出される音響の音程が（典型的には）上昇するだけでなく、音響チャンバ１０１の構造が、サイズ変更された突起１０５が、意図された音響の品質を低下させるように、あるいは、意図された音響を潜在的に完全に消し去るように、変更され得る。例えば、突起１０５は、音響チャンバ１０１の構造的構成要素であってもよく、また、音響チャンバ１０１の内部にその一部を含んでもよく、また、音響チャンバ１０１の内部における材料の直径の変化によって規定されてもよい。特に、音響チャンバ１０１は、入口穴１０７（時に、「吸入口」とも称される）と、出口穴１０９（時に、「逃がし穴」とも称される）を有してもよく、入口穴１０７及び出口穴１０９の各々は、音響チャンバ１０１の内部態様によって規定された直径を有する。各突起１０５は、入口穴１０７及び／又は出口穴１０９の直径とは異なる直径を有してもよい。言い換えれば、各突起は、所与の位置における内部空洞空間１０３の直径によって規定される。当業者であれば、音響チャンバ１０１をなす材料が、プラスチック、金属、セラミック、あるいは、音響波を伝導し得るとともにボトル内の液体に接触した時に非毒性であるような他の材料、を含み得ることは、理解されよう。
【００４０】
上述したように、音響チャンバ１０１の特性（例えば、比例した長さ、内部空洞空間１０３の直径及びその直径の変動、より大きな音響チャンバの完全性）の一部又は全部を維持するために、音響チャンバ１０１の縮小の負の影響に対抗するために、音響チャンバ１０１は、実質的なコイル形状へとあるいは別の方法で巻回された形状へと、巻き付けられてもよく、あるいは巻回されてもよい。螺旋形状の音響チャンバをモデル化し、所望の出力音響特性が得られるまで螺旋形状の音響チャンバ１０１からの可聴出力又は波形を予測するために、モデリングソフトウェアを使用してもよい。
【００４１】
図２は、例示的な実施形態による、モデル化時における音響チャンバ２０１用のモールドを巻回することに関する概念的な一例を示す。図２は、音響チャンバ２０１ａのための初期モデルが、音響チャンバ２０１ｄのためにもたらされる巻回モデルが形作られるまで、どのように見えるかに関しての、概念段階を示す。音響チャンバ２０１ｄのための巻回モデルは、ボトルキャップに対して結合するように構成された音響放出型キャップチャンバ装置のための最終的な製造モールドとなり得る。
【００４２】
図３は、音響チャンバの内部構造を示すために分解された、第１部分３０１と、第２部分３０３と、中央部分３０５と、を含む、音響放出型キャップチャンバ装置３００の例示的なモールドを示す。第１部分３０１、第２部分３０３、及び中央部分３０５の各々は、図１における音響チャンバモデルと同様に、音響チャンバモデルの１つ又は複数の突起を有してもよく、さらに、ボトル内に収まり得るサイズへと縮小さ、かつ図２の場合と同様に巻回される。第１部分３０１と第２部分３０３とが中央部分３０５の周りに結合された時、音響チャンバは、各部分３０１、３０３、３０５が結合された際に形成される凹状空間（凹状空間内への突起を含む）としてもたらされる。すなわち、部分３０１、部分３０３、部分３０５が結合された時、巻き付けられたあるいは巻回された中空導管（例えば、チューブ、パイプ）を形成することができる。
【００４３】
本明細書において説明する実施形態は、第１部分３０１と、第２部分３０３と、中央部分３０５と、を参照し、かつ説明されるが、当然のことながら、音響放出型キャップチャンバのための音響チャンバの構造３００が、任意の数の部分を含み得る。すなわち、構造は、単一のモールド成形部分を含むものであってもよく、又は複数のモールド成形部分を含むものであってもよい。
【００４４】
図４は、例示的な実施形態による、音響放出型キャップチャンバ装置４００を示す。音響放出型キャップチャンバ装置４００は、図３に例示されたモデル及びモールドからもたらされ得る。
【００４５】
図５は、ボトル５２０の口５０９の中へと挿入された、例示的な実施形態による音響放出型キャップチャンバ装置５００の分解した構成要素を示す。音響放出型キャップチャンバ５００は、第１部分５０１と、第２部分５０３と、中央部分５０５と、を備えてもよい。
【００４６】
図５Ａに示すように、例示的な実施形態の第１部分５０１は、チャンバ壁５１３と、内面５１６と、を有し得る。チャンバ壁５１３は、中央部分５０５のチャンバ壁５１８に対応してもよく、またチャンバ壁５１８に対して当接してもよい。また、第１部分５０１は、内面５１６上に音響を変更する突起を有してもよく、その場合、第１部分５０１の突起は、中央部分５０５の外面５１９上の突起に対応してもよい。当然のことながら、第２部分５０３は、少なくともチャンバ壁５１３と、内面５１６と、この内面５１６の突起と、に関して、第１部分５０１の構造と同様のあるいは実質的に同一の構造を有してもよい。
【００４７】
図５Ｂに示すように、例示的な実施形態の中央部分５０５は、概して円筒形状を有し得るが、他の実施形態においては、他の形状が可能であり得る。この例においては、中央部分５０５は、チャンバ壁５１８と、外面５１９と、を有してもよい。チャンバ壁５１８は、第１部分５０１及び第２部分５０３のチャンバ壁５１３に対応してもよく、また当接してもよい。外面５１９は、音響を変更する突起を有してもよく、その場合、中央部分５０５の突起は、第１部分５０１及び第２部分５０３の内面５１６上の突起に対応し得る。中央部分５０５は、この中央部分の中の中間点に位置する回転穴５２１をさらに備えてもよい。回転穴５２１は、ボトルキャップ５１１の中間点において回転ピンを受容し得る。これにより、回転ピンが回転穴５２１内へと挿入された時、消費者がボトル５２０を開ける際に、ボトルキャップ５１１は（例えば、捩ることによって）回転してもよい。
【００４８】
図５Ｃに示すように、第２部分５０３は、切欠５２２を有してもよく、中央部分５０５は、対応する切欠５２３を有してもよい。音響放出型キャップチャンバ５００は、ガスを逃がし得る逃がし穴５２５を有してもよい。逃がし穴５２５は、第２部分５０３と中央部分５０５とを当接させた時に形成され得る。すなわち、逃がし穴５２５は、第２部分５０３の切欠５２２を中央部分５０５の切欠５２３に対して当接させることに起因するものとすることができる。
【００４９】
図５に戻ると、例示的な音響放出型キャップチャンバ５００の音響チャンバは、第１部分５０１と第２部分５０３とを結合させることにより、中央部分５０５を中心として、又はこれの周りに、作り出される。音響チャンバは、中央部分５０５のチャンバ壁５１８に当接する第１部分５０１及び第２部分５０３のチャンバ壁５１３によって形成される凹状空間からもたらされる。音響チャンバの特性は、凹状空間によって規定され、また、音響チャンバを形成する凹状空間の中へと突出する第１部分５０１及び第２部分５０３の内面５１６の突起の構造によって規定される。
【００５０】
いくつかの場合においては、第１部分５０１は、ガス吸入口５０７をさらに含んでもよい。ガス吸入口５０７は、音響チャンバ導管の底端における音響チャンバへの開口であってもよく、またボトル５２０の口５０９の中へと導入される。ガス吸入部材５０７は、導入されたガス（例えば、ボトル５２０から逃げる加圧ガス）を受容してもよく、音響放出型キャップチャンバ５００を通してガスが移動することを可能とし得る。当然のことながら、いくつかの実施形態においては、例えば、第１部分５０１と第２部分５０３とを当接した時に、ガス吸入口５０７が形成されてもよい。
【００５１】
ボトルキャップ５１１は、音響放出型キャップチャンバ装置５００に対して結合してもよく、次いで、音響放出型キャップチャンバ装置５００を、ボトル５２０の口５０９の中へと挿入してもよい。いくつかの実施形態においては、ボトルキャップ５１１は、音響放出型キャップチャンバ５００の上部上に定置してもよく、また口５０９に対して固定することができる。ボトルキャップ５１１は、例えば、キャップ５１１の内面上の、キャップ５１１を口５０９の外面上へと螺着する対応したネジ山によって、口５０９に対して固定されてもよい。
【００５２】
第１シール５１５は、音響放出型キャップチャンバ５００がボトル５２０の口５０９内へと挿入された時にキャップ５１１が口５０９と出合うところから加圧ガスが逃げることを防止することができる。第１シール５１５は、キャップ５１１の下面と音響放出型キャップチャンバ５００の上面との間に位置してもよく、音響放出型キャップチャンバ５００の上面の上部を取り囲んでもよく、またボトル内のガスを密封することができる任意の材料であってもよい。ボトルキャップ５１１は、音響放出型キャップチャンバ５００の遠位端におけるガス吸入口５０７を通してガスを逃がすことができるポート５１４を含んでもよい。振動機構は、遠位端のガス吸入口５０７へと連結されてもよく、又はガス吸入口の開口の内部に配置されてもよい。逃げるガスは、振動機構を振動させ、それにより、音響放出型キャップチャンバ５００を通して移動するガスから音響波を生成する。第２シール５１７は、音響放出型キャップチャンバ５００の上部と、逃がし穴５２５の周囲のキャップ５１１と、の間に配置されてもよい。第２シール５１７は、ボトル５２０内のガスを密封し得る任意の材料であってもよく、それにより、音響放出型キャップチャンバ５００の上部、上面、及び／又は上端において、キャップ５１１が逃がし穴５２５と出合う場所からガスが逃げることを防止する。
【００５３】
図６は、例示的な実施形態による、ボトルキャップ６０２に対して結合され、消費者によって開けられる際にはボトル内に挿入される、音響放出型キャップチャンバ装置６０１の構成要素を示す。音響放出型キャップチャンバ６０１の一部は、音響チャンバの端部において、音響放出型キャップチャンバ６０１の上部に位置する逃がし穴６１３を含み得る。逃がし穴６１３は、ボトルキャップ６０２の対応するポート６１５に対して実質的に対応したサイズ（例えば、直径）を有し得る。音響放出型キャップチャンバ６０１は、音響放出型キャップチャンバ６０１の逃がし穴６１３に対して隣接して逃がし穴６１３を囲む凹所６１７を含んでもよい。凹所６１７は、その内部に挿入され得るシールを受容するように構成されてもよく、そのシールは、音響放出型キャップチャンバ６０１の上部の逃がし穴６１３を通してボトルからガスが逃げることを防止し得る。
【００５４】
キャップ６０２は、音響放出型キャップチャンバ６０１の上部の回転穴の中へと適合され得る回転ピン６１６を含んでもよい。回転穴は、ボトルキャップ６０２の中間点において回転ピン６１６を受容し得る。これにより、回転ピン６１６が回転穴の中へと挿入された時、消費者がボトルを開ける際に、ボトルキャップ６０２が、回転し得る（例えば、捩れ得る）。
【００５５】
キャップ６０２は、キャップの下面上に配置されていて、音響放出型キャップチャンバ６０１に出合うキャッチ６２１を含んでもよい。キャッチ６２１は、キャップ材料（例えば、プラスチック、アルミニウム）の、音響放出型キャップチャンバ６０１の上部に位置するトラック６１９内へと突き出た一部分であってもよく、この場合、トラック６１９は、音響放出型キャップチャンバ６０１の上面上における、押し付けの跡、ノッチ、あるいは、凹みであってもよい。音響放出型キャップチャンバ６０１の少なくとも一部分の上部は、ボトルキャップ６０２の下面上のキャッチ６２１を収容するトラック６１９を含んでもよい。トラック６１９は、制御されたいくらかの進行距離にわたって、音響放出型キャップチャンバ６０１とは無関係に、ある程度の回転角度でもって、ボトルキャップ６０２を動かすこと（例えば、回転すること）ができるようにする。開放動作（例えば、捩ること）によって、ボトルキャップ６０２のキャッチ６２１が、音響放出型キャップチャンバ６０１のトラック６１９の端部に出会った場合には、ボトルキャップ６０２のネジ山６２３が、ボトルのネジ山６２３から緩められ始める。キャップ６０２がボトルの口から完全に取り外される（例えば、螺着を解除される）少し手前の時点で、キャップ６０２のポート６１５と、音響放出型キャップチャンバ６０１の逃がし穴６１３と、が位置合わせされた状態になり、これにより、ボトル内の加圧ガスは、音響放出型キャップチャンバ６０１を通して逃げることができる。開放動作が継続されるのにつれて、音響放出型キャップチャンバ装置６０１の２つの部分（すなわち、外側のボトルキャップと、音響放出型キャップチャンバ）が、いっしょに一体的に移動し、これにより、音響放出型キャップチャンバ６０１と、ボトルキャップ６０２とを、ボトルの口から取り外すことができる。
【００５６】
図７は、例示的な実施形態による、ガス吸入口７００を示す。ガス吸入口７００は、音響放出型キャップチャンバの一部として一体的に形成されてもよい。いくつかの場合においては、ガス吸入口７００は、音響放出型キャップチャンバに対して取り付けられてもよい。ガス吸入口７００は、音響放出型キャップチャンバのガス吸入口７００において、又はガス吸入口７００の内部に取り付けられるリード構成要素７０３を備えてもよい。リード構成要素７０３は、加圧ガスが吸入穴７０１の中へと押し込まれ、そしてガス吸入口７００を通される時、音響波を生成する振動機構となり得る。その後、音響波は、ガスが吸入穴７０１を介し、音響放出型キャップチャンバを通して逃げる際に、音響放出型キャップチャンバを通して移動しうる。
【００５７】
図８は、別の例示的な実施形態によるガス吸入口８００を示す。ガス吸入口８００は、音響放出型キャップチャンバの一部として一体的に形成されてもよい。いくつかの場合においては、ガス吸入口８００は、音響放出型キャップチャンバに対して取り付けられてもよい。ガス吸入口８００は、音響放出型キャップチャンバのガス吸入口８００に、又はガス吸入口８００の内部に取り付けられるリード部材８０３を含んでもよい。リード構成要素８０３は、加圧ガスが吸入穴８０１の中へと押し込まれ、そしてガス吸入口８００を通される時、音響波を生成する振動機構とすることができる。その後、音響波は、ガスが吸入穴８０１を経由し、音響放出型キャップチャンバを通して逃げる際、音響放出型キャップチャンバを通して移動し得る。
【００５８】
図９は、ボトルの口内に挿入された例示的な音響放出型キャップチャンバ９０１装置を示す。音響放出型キャップチャンバ９０１は、遠位端のところにガス吸入口を備えてもよく、ガス吸入口は、図７に示すガス吸入口と同様に、振動機構９０３（例えば、リード部材）を有する。
【００５９】
設計及び製造
図１０は、音響放出型キャップチャンバを設計及び製造するための例示的なコンピューティングシステムを示す。例示的なシステムは、モデリングコンピュータ１００１と、ユーザデバイス１００５と、を含む。当業者であれば、他の実施形態が、追加のデバイスあるいは代替的なデバイスを含み得ることは、理解されよう。加えて、いくつかの実施形態においては、様々なデバイスが単一のデバイスの中へと組み合わされてもよい。例えば、いくつかの例においては、モデリングコンピュータ１００１とユーザデバイス１００５とは、同じコンピューティングデバイスであってもよい。当然のことながら、デバイスの他の組合せも同様に可能であり得る。
【００６０】
動作時には、モデリングコンピュータ１００１あるいはユーザデバイス１００５は、音響チャンバのモデルを設計するために、コンピュータ支援設計（ＣＡＤ）ソフトウェアあるいは他の３次元レンダリング及び設計ソフトウェアを実行してもよい。ユーザは、ＧＵＩを介して設計ソフトウェアと対話して、音響チャンバの初期形状をユーザが「描画」することを可能としてもよい。「オー」という音声を作り出すこととなる音響チャンバモデルに対する、例示的なＧＵＩレンダリングが、図１１に見られ得る。いくつかの場合においては、音響チャンバの初期形状は、設計ソフトウェアのＧＵＩ内への入力を介して、ユーザが描画することができる。音響チャンバの初期形状は、いくつかの場合においては、音響チャンバの固形の物理的な３次元モデルを前提とすることができる。その結果、ソフトウェアは、ユーザ入力を受信して、ＣＡＤソフトウェア上に、音響チャンバの仮想モデルを作成する。いくつかの場合においては、この音響チャンバの初期モデルの設計は、所望の音響を生成する人間の気管の形状及びサイズを模倣し得る。次に、同じソフトウェア又は関連するソフトウェアは、設計ソフトウェアを使用して生成された音響チャンバモデルに従って、モデル音響チャンバによって作り出されることとなる波形出力を生成し得る。当然のことながら、モデリングコンピュータ１００１は、プロセッサと非一時的な機械可読記憶媒体とを含み、かつ本明細書において説明される様々なタスク及びプロセスを実行する能力を有する任意のコンピューティングデバイスであり得る。モデリングコンピュータ１００１の非限定的な例としては、サーバ、デスクトップ、ラップトップ、タブレット、及びこれに類するものが挙げられ得る。いくつかの実施態様においては、モデリングコンピュータ１００１は、ソフトウェア内へのユーザ入力に基づいて、波形モデル又は視覚モデルを生成してもよく、モデリングコンピュータ１００１は、そのようなモデルを、ユーザデバイス１００５に対して送信し得る。その後、ユーザデバイス１００５は、ユーザデバイス１００５のＧＵＩ上に、波形を提示し得る。
【００６１】
上述したように、モデリングコンピュータ１００１又はユーザデバイス１００５は、次いで、ＣＡＤソフトウェアのＧＵＩを使用して「描画」された音響チャンバからもたらされた音響又は波形を再現するために、音響チャンバのレンダリングモデルを生成し得る。例えば、モデリングコンピュータ１００１は、モデリングデータ及び／又はＧＵＩレンダリングデータを生成することができ、そしてその後、１つ又は複数のコンピュータネットワークプロトコル及び関連するハードウェアを使用して機能し得る１つ又は複数のコンピュータ通信ネットワークを介して、そのデータを、ユーザデバイス１００５に対して送信し得る。モデリングコンピュータ１００１は、ユーザデバイス１００５から、音響チャンバモデルを調整するようにモデリングコンピュータ１００１に指示し得る様々な入力を受信し得る。これにより、音響チャンバは当初の視覚入力から調整されるにつれて、異なる音響又は異なる波形を作り出すこととなる。当然のことながら、ユーザデバイス１００５は、非一時的な機械可読記憶媒体及びプロセッサを含んでもよく、また本明細書において説明する様々なタスク及びプロセスを実行してもよい。ユーザデバイス１００５の非限定的な例としては、サーバ、ラップトップ、デスクトップ、タブレット、モバイルデバイス（例えば、スマートフォン）、及びこれに類するものが挙げられ得る。
【００６２】
図１１は、設計ソフトウェアのＧＵＩを使用してユーザによって「描画」された音響チャンバの仮想モデルの例示的なＧＵＩレンダリング表示を示す。モデリングコンピュータ１００１又はユーザデバイス１００５によって実行されるソフトウェアは、音響チャンバモデルを受信し得、そしてＣＡＤソフトウェアを介してユーザによって作り出された仮想モデル音響チャンバから生成されることとなる波形を表すサンプル波形のＧＵＩレンダリングを生成し得る。図１２は、ＣＡＤソフトウェアを使用して生成される音響チャンバによって生成されることとなる波形を表示する例示的なＧＵＩを示す。
【００６３】
上述したように、モデル化された音響チャンバをボトルの口の中へと適合するためには、所望の音質を失うことなく、音響チャンバを小型化する必要があり得る。図２に示すように、音響チャンバは、巻回された効果を有して再成形されてもよい。結果として得られたＧＵＩレンダリングは、図３に見ることができる。コイル形状の音響チャンバの波形モデルを生成し、かつ必要に応じて再生成し、当初にレンダリングされたモデルから最終的な巻回モデルまで音質が維持されていることを確認するために、音響モデリングソフトウェアを使用してもよい。例えば、寸法的なサイズ変更を自動化するのではなく、音響チャンバの仮想モデルを生成するために使用された設計ソフトウェアと、その音響チャンバモデルによって作り出される波形を生成する音響モデリングソフトウェアとを、ユーザの制御下でのその後の反復において、音響チャンバモデルの寸法をサイズ変更するために使用してもよい。これにより、ユーザは、図１１におけるようなモデル化された音響チャンバに対する、図１２におけるようなシミュレートされた波形出力を検討することにより、試行錯誤によって、音響チャンバモデルの様々な寸法及び構造を操作することができる。これにより、ユーザは、音響チャンバモデルを縮小し、又はチャンバの内部構造を変更して、そしてその後、設計ソフトウェアを用いて、満足のいく音響チャンバが生成されるまで、波形を出力してもよい。
【００６４】
製造の目的のために、図１１におけるもののような音響チャンバの仮想モデルは、より最近の音響モデリングソフトウェアなどのモデリングソフトウェア又は製造ハードウェアによって、モールドを製造するように構成されたコンピュータによって、モールドを使用して製造を制御するコンピュータによって、及びこれに類するものによってアクセス可能であってもよく、かつ操作されてもよい機械可読コンピューティングファイルとして、出力されてもよい。モールドは、モデル音響チャンバを収容するコンピューティングファイルに従って、ダイカスト又は３Ｄ印刷などのモールド生成プロセスによって生成されてもよい。モールドは、音響放出型キャップチャンバの材料がモールドへと導入された時に、材料が音響放出型キャップチャンバの構造へと硬化するように、突起及び空洞を備えてもよい。当業者であれば、音響チャンバモデルを使用してモールドを生成するために、様々なプロセス及び様々な材料が採用されてもよいことは、理解されよう。モールドの材料の非限定的な例としては、金属（例えば、鋼、鉄）、熱可塑性プラスチック又は熱硬化性ポリマー、感光性ポリマー、及びこれに類するものが挙げられ得る。その後、モールドは、音響放出型キャップチャンバの製造プロセスにおいて使用されてもよい。
【００６５】
音響放出型キャップチャンバは、任意の数のプロセスを使用して製造されてもよい。例えば、射出成形、押出成形、及びこれに類するものを使用して音響放出型キャップチャンバを製造するために、例えば、予め製造されたモールドを使用してもよい。そのような例において、音響放出型キャップチャンバは、金属（例えば、アルミニウム、鋼）、プラスチック（例えば、高密度ポリエチレン、低密度ポリエチレン、ポリプロピレン）、又は同種のもの、を含んでもよい。別の例として、音響放出キャップチャンバは、設計ソフトウェアからの音響チャンバの仮想モデルを使用した３Ｄ印刷によって生成されてもよく、これは付加製造ファイル（ＡＭＦ）又はこれに類するものへと出力されてもよく、又は変換されてもよい。そのような例においては、音響放出型キャップチャンバは、３Ｄ印刷装置によって使用される任意の材料（例えば、感光性ポリマー、熱可塑性プラスチック）を含んでもよい。
【００６６】
本明細書において開示される方法は、説明された方法を達成するための１つ又は複数のステップ又はアクションを含む。方法のステップ及び／又はアクションは、本発明の範囲から逸脱することなく、互いに交換することができる。言い換えれば、実施形態の適切な動作のためにステップ又はアクションの特定の順序が必要でない限り、特定のステップ及び／又はアクションの順序及び／又は使用は、本発明の範囲から逸脱することなく、修正され得る。
【図１】
2020529372.tif 000003
【図２】
2020529372.tif 000004
【図３】
2020529372.tif 000005
【図４】
2020529372.tif 000006
【図５】
2020529372.tif 000007
【図５Ａ】
2020529372.tif 000008
【図５Ｂ】
2020529372.tif 000009
【図５Ｃ】
2020529372.tif 000010
【図６】
2020529372.tif 000011
【図７】
2020529372.tif 000012
【図８】
2020529372.tif 000013
【図９】
2020529372.tif 000014
【図１０】
2020529372.tif 000015
【図１１】
2020529372.tif 000016
【図１２】
2020529372.tif 000017
【国際調査報告】
2020529372.tif 000018
2020529372.tif 000019
2020529372.tif 000020